(57)【要約】  【課題】  逆止弁による流入口の密閉性の低下を抑制して、洪水時などの非常時における配管内の逆流を防止できる逆流防止装置を提供すること。  【解決手段】  洪水が発生するなどして、排液が排水管２２ｂ及び排出管７を通じて排出口６から縦穴２内へ逆流すると、縦穴２内に排液が貯留され、かかる貯留液の液位が上昇して、貯留液が縦穴底面８上にあるフロート１３，１３を浮力によって浮上させる。この浮上に伴って、支持アーム１０のアーム部１０ａ側が揺動軸１１を中心に揺動されると、逆止弁１２が開放位置から閉塞位置へ揺動され、その後、逆止弁１２が弁座部材１５の弁座面１５ａとの間に密閉部材１４を介在させた状態で面接触される。この結果、流入口４は逆止弁１２によって閉塞されて、流入口４への排液の逆流が防止される。【選択図】        図１   
2005200846.tif 000002
【特許請求の範囲】
【請求項１】
配管の中間部に設けられる設置空間と、
その設置空間内へ配管の上流側から排液を流入させる流入口と、
その流入口に対して低位置に設けられ前記設置空間から配管の下流側へ排液を排出させる排出口と、
その排出口側よりの前記設置空間内であって前記流入口に対して低位置に設けられ、その設置空間内に排液が貯留する場合にその貯留液から浮力を受ける浮き部材と、
その浮き部材に対して、前記設置空間内の前記流入口側よりで且つその流入口から上方に離間する開放位置に位置されると共に、その流入口を閉塞可能に形成される逆止弁と、
その逆止弁が一端側に連結され前記浮き部材が他端側に連結される支持部材と、
その支持部材における前記浮き部材連結側と前記逆止弁連結側との中間部を揺動可能に軸支する揺動軸とを備え、
その揺動軸によって軸支される前記支持部材を介して、前記浮き部材が前記設置空間内の貯留液の浮力を受けて上方へ揺動される場合、前記逆止弁が前記開放位置から前記流入口を閉塞する閉塞位置へ向けて揺動されるものであることを特徴とする逆流防止装置。
【請求項２】
前記設置空間の底面は、前記流入口から前記排出口へ向けて下降傾斜する斜面に形成されていることを特徴とする請求項１記載の逆流防止装置。
【請求項３】
前記設置空間の底面は、前記浮き部材の下方に設けられ、前記逆止弁が開放位置に達した場合に前記浮き部材と当接可能に形成されていることを特徴とする請求項２記載の逆流防止装置。
【請求項４】
前記設置空間内には、前記流入口から前記排出口へと下降傾斜される斜面であって排液を流下させるための排液流路が設けられており、
前記逆止弁および浮き部材は、その逆止弁が開放位置にある場合、前記排液流路から外れた位置に位置決めされていることを特徴とする請求項１から３のいずれかに記載の逆流防止装置。
【請求項５】
前記設置空間は、前記流入口の上縁部より上側にも貯留液を貯留可能な空間が設けられていることを特徴とする請求項１から４のいずれかに記載の逆流防止装置。
【発明の詳細な説明】
【技術分野】
【０００１】
本発明は、屋内からの排液を下水道管などの排水処理設備へ排出するための排水管の中間部に配設されて、例えば、洪水時に下水道管などの排水処理設備から排水管を通じて屋内へ排液が逆流することを防止する逆流防止装置に関するものである。
【背景技術】
【０００２】
一般に、台所、洗面所、風呂、トイレなどの水回りからの生活排水は、生活排水管を通じて、下水道管などの排水処理設備へ排出される。また、降雨時の雨水は、雨水管を通じて、沿道に埋設される側溝へ排出され河川へ放流したり、或いは、生活排水と共に下水道管などの排水処理設備へ排出されたりもする。通常、これら排水処理設備は乱れることなく機能しているが、一旦、集中豪雨が発生すると、地表面が舗装された市街地では、大量の雨水が側溝へ流れ込むため、雨水が溢れたり、或いは、河川の水量が急激に上昇し氾濫するなどして、洪水となることがある。
【０００３】
このような洪水時には、側溝からの排水に加えて、冠水した地表面の水もマンホールなどを通じて下水道管へ流入するため、下水道管から生活排水管へ逆流が起きて、屋内の排水口から排水が噴き出して、屋内が浸水することがあった。そこで、かかる屋内浸水を防止するため、下水道管と接続される生活排水管に排液の逆流を防止する逆流防止装置を配設することが考えられる。管路における逆流防止装置に関しては各種の提案がなされており、例えば、実開平６−６７５８８号公報には排水逆流防止装置が開示されている。
【０００４】
同公報記載の排水逆流防止装置は排水桝内に配設されるものであり、その排水桝内へ排液を流入させる排水管の開口径より大径の弾性体製の浮子を、排水桝内の水位上下に伴って昇降させ、その浮子の昇降によって排水管の開口を開放又は閉塞させるものである。ここで、上記排水逆流防止装置では、浮子を内部に収容可能な籠状の定置装置が排水管の開口部に配設されており、その定置装置によって浮子は排水管の開口下方に常時位置させる構造が採用されている。
【特許文献１】実開平６−６７５８８号公報
【発明の開示】
【発明が解決しようとする課題】
【０００５】
しかしながら、上記した排水逆流防止装置によれば、排水管への逆流を防止するために排水管を閉塞する浮子は、逆止弁として機能するものであるが、定置装置によって排水管の開口下方に常時位置するため、排水桝へ流入する排液に常時曝され続けてしまう。このため、逆止弁である浮子には、排水に含まれる異物が付着しやすく、かかる付着物により排水管を閉塞した際の密閉性が低下するという問題点が危惧される。
【０００６】
また、浮子は弾性体で形成されるので、その材質によっては排水に曝され続けることで、劣化して弾力性が低下して排水管を閉塞する際の密閉性が低下する虞も問題点として考えられる。
【０００７】
本発明は、上述した問題点を解決するためになされたものであり、逆止弁による流入口の密閉性の低下を抑制して、洪水時などの非常時における配管内の逆流を防止できる逆流防止装置を提供することを目的としている。
【課題を解決するための手段】
【０００８】
この目的を達成するために請求項１記載の逆流防止装置は、配管の中間部に設けられる設置空間と、その設置空間内へ配管の上流側から排液を流入させる流入口と、その流入口に対して低位置に設けられ前記設置空間から配管の下流側へ排液を排出させる排出口と、その排出口側よりの前記設置空間内であって前記流入口に対して低位置に設けられ、その設置空間内に排液が貯留する場合にその貯留液から浮力を受ける浮き部材と、その浮き部材に対して、前記設置空間内の前記流入口側よりで且つその流入口から上方に離間する開放位置に位置されると共に、その流入口を閉塞可能に形成される逆止弁と、その逆止弁が一端側に連結され前記浮き部材が他端側に連結される支持部材と、その支持部材における前記浮き部材連結側と前記逆止弁連結側との中間部を揺動可能に軸支する揺動軸とを備え、その揺動軸によって軸支される前記支持部材を介して、前記浮き部材が前記設置空間内の貯留液の浮力を受けて上方へ揺動される場合、前記逆止弁が前記開放位置から前記流入口を閉塞する閉塞位置へ向けて揺動されるものである。
【０００９】
この請求項１記載の逆流防止装置によれば、流入口が開放されていれば、例えば、配管の上流側から流れてくる排液は、流入口から設置空間内へ流入し、流入口に対して低位置にある排出口から配管の下流側へと排出される。一方、排出口から設置空間内へと排液が逆流すると、その逆流した排液は、設置空間内に貯留して貯留液の液位を上昇させる。設置空間内での液位上昇に伴って、浮き部材が貯留液から浮力を受けて上方へ向けて浮上されると、支持部材が揺動軸を中心に揺動されて、逆止弁が開放位置から閉塞位置側へ向けて揺動される。
【００１０】
設置空間内への逆流によって更に貯留液の液位が上昇すると、支持部材を介して、浮き部材は更に上方へ浮上され、逆止弁は更に下方へ揺動されて閉塞位置に到達し流入口を閉塞させる。この逆止弁による流入口の閉塞によって、設置空間から流入口への排液の逆流が防止される。その後、設置空間への排液の逆流が治まり、排出口から設置空間内の貯留液が排出され、貯留液の液位が低下して浮き部材に作用する浮力が低下すると、逆止弁は、支持部材を介して揺動軸を中心に閉塞位置から開放位置へ揺動され、流入口が再び開放される。
【００１１】
請求項２記載の逆流防止装置は、請求項１記載の逆流防止装置において、前記設置空間の底面は、前記流入口から前記排出口へ向けて下降傾斜する斜面に形成されている。
【００１２】
この請求項２記載の逆流防止装置によれば、請求項１記載の逆流防止装置と同様に作用する上、配管の上流側から流入口へ流入した排液は、設置空間の底面に沿って排出口へと自然流下され、かかる排出口から設置空間の外、即ち、配管の下流側へ速やかに排出される。よって、配管の上流側から下流側へ向かう排液の流れは配管の中間部に設けられる設置空間の存在によって妨げられることがなく、排液の流れが滞ることなく排出されるのである。
【００１３】
請求項３記載の逆流防止装置は、請求項２記載の逆流防止装置において、前記設置空間の底面は、前記浮き部材の下方に設けられ、前記逆止弁が開放位置に達した場合に前記浮き部材と当接可能に形成されている。
【００１４】
この請求項３記載の逆流防止装置によれば、請求項２記載の逆流防止装置と同様に作用する上、設置空間に貯留する排液が排出口から排出されて浮き部材に浮力を及ぼす貯留液の液位が低下すると、浮き部材は支持部材によって揺動軸を中心に下方へ揺動され、その揺動に伴って、逆止弁は支持部材によって揺動軸を中心に開放位置へ揺動されて開放位置に達すると、浮き部材が設置空間の底面に当接して揺動が停止される。
【００１５】
請求項４記載の逆流防止装置は、請求項１から３のいずれかに記載の逆流防止装置において、前記設置空間内には、前記流入口から前記排出口へと下降傾斜される斜面であって排液を流下させるための排液流路が設けられており、前記逆止弁および浮き部材は、その逆止弁が開放位置にある場合、前記排液流路から外れた位置に位置決めされている。
【００１６】
この請求項４記載の逆流防止装置によれば、請求項１から３のいずれかに記載の逆流防止装置と同様に作用する上、配管の上流側から流入口へ流入した排液は、流入口から排出口へと下降傾斜される排液流路に沿って流下され、排出口から設置空間外となる配管の下流側へ排出される。ここで、逆止弁および浮き部材は逆止弁が開放位置にある場合に排液流路から外れた位置に位置決めされるので、流入口から排出口へ向かう排液の流れは逆止弁および浮き部材を避けるように排液流路を流下させられる。
【００１７】
請求項５記載の逆流防止装置は、請求項１から４のいずれかに記載の逆流防止装置において、前記設置空間は、前記流入口の上縁部より上側にも貯留液を貯留可能な空間が設けられている。
【発明の効果】
【００１８】
請求項１記載の逆流防止装置によれば、例えば、下水道管などの排水処理設備へ排液を排出する配管の中間部に設置空間を設けて、その配管の上流側を流入口に連結し、その下流側を排出口に連結した場合に、逆止弁によって、排液が配管を通じて下水道管などの排水処理設備から設置空間より上流側へ逆流することを防止できるという効果がある。よって、例えば、洪水時に下水道管などの排水処理設備からの逆流によって生じる屋内の浸水も防止できるという効果がある。
【００１９】
また、設置空間に逆流する排液もなく浮き部材に浮力が作用しない場合に、かかる逆止弁は、支持部材によって、浮き部材に対して流入口側よりで且つその流入口から上方に離間する開放位置に位置されるので、流入口から排出口へ向かう排液の流れに直接に曝されることが抑制され、逆止弁の汚損を抑制できるという効果がある。
【００２０】
従って、流入口から流入した排液に混入する異物が逆止弁に付着したり、或いは、排液に混入する異物が逆止弁に絡み付いたりすることを防止できるので、これら逆止弁への付着物によって流入口の閉塞時における密閉度が低下することを抑制でき、より確実に逆止弁によって流入口を閉塞させて排液の逆流を防止できるという効果がある。
【００２１】
また、逆止弁は、揺動軸により揺動可能に軸支される支持部材に浮き部材と共に連結され、かかる浮き部材が設置空間内の貯留液の液位に応じて昇降することで、流入口を開放又は閉塞させるので、排出口からの逆流を検出する電気的なセンサーなどを別途設ける必要もなく、製造コストや設置コストを低減できるという効果がある。しかも、逆止弁を開放又は閉塞させる動力源を別途設ける必要もないので、例えば、電力コストも不要となる効果がある。
【００２２】
請求項２記載の逆流防止装置によれば、請求項１記載の逆流防止装置の奏する効果に加え、設置空間の底面は流入口から排出口へ向けて下降傾斜する斜面に形成されるので、その斜面に沿って流入口から設置空間へ流入した排液を排出口へと自然流下させることができる。よって、設置空間へ流入した排液は、その設置空間内で滞ることがなく排出口から配管の下流側へ速やかに排出するので、設置空間内に滞留する排液が腐敗することで発生する悪臭が開放状態の流入口から配管の上流側へ逆流することも防止できるという効果がある。
【００２３】
請求項３記載の逆流防止装置によれば、請求項２記載の逆流防止装置の奏する効果に加え、前記設置空間の底面は、浮き部材が支持部材によって揺動軸を中心に揺動される場合に、その浮き部材の揺動範囲を制限する手段としても機能するので、浮き部材の揺動範囲の制限手段を別途設ける必要がない。よって、装置全体としての部品点数を少なくでき、構造を簡素化できるため、故障も生じ難いという効果がある。
【００２４】
請求項４記載の逆流防止装置によれば、請求項１から３のいずれかに記載の逆流防止装置の奏する効果に加え、逆止弁および浮き部材は、逆止弁が開放位置にある場合に排液流路から外れた位置に位置決めされるので、設置空間内の排液流路を通じて流入口から排出口へ流下する排液の流れに直接に曝されることが抑制され、逆止弁に加えて浮き部材の汚損も抑制できるという効果がある。
【００２５】
従って、流入口から流入した排液に混入する異物が浮き部材に付着したり、或いは、排液に混入する異物が浮き部材に絡み付いたりすることも防止でき、支持部材の稼動障害の発生を抑制できるという効果がある。しかも、設置空間から流れ出ようとする排液の流れが逆止弁や浮き部材によって邪魔されることもなく、設置空間内での排液の滞留も回避できるという効果もある。
【００２６】
請求項５記載の逆流防止装置によれば、請求項１から４のいずれかに記載の逆流防止装置の奏する効果に加え、設置空間内の貯留液の液位が上昇して、逆止弁により流入口が閉塞された後、排出口から容器体内へ排液が逆流し続けると、その排液は、逆止弁により閉塞された流入口の上縁部より上側に設けられる空間に貯留される。この結果、逆止弁は、設置空間内の貯留液中に沈没されるので、この沈没に伴う水圧によって流入口に強く押しつけられ、流入口の閉塞時の密閉性を向上できるという効果がある。
【発明を実施するための最良の形態】
【００２７】
以下、本発明の好ましい実施例について、添付図面を参照して説明する。図１は、本発明の逆流防止装置の一実施例である逆流防止設備１の内部構造を示す縦断面図である。なお、以下の説明で参照する図面のうち、図３を除くものに図示した太線の矢印は排液の流れ方向を示している。
【００２８】
図１に示すように、逆流防止設備１には、略縦長円柱状の空間である縦穴２が設けられる。縦穴２は、その内部に逆流した排液を貯留可能に形成され、その内周面には縦穴２の一部をなす縦穴壁材２ａが周設されている。この縦穴２の上端部は開放されており、この開放された縦穴２の上端部は、かかる開放を閉塞するための天蓋３を着脱可能に形成されている。また、かかる縦穴２の縦穴壁材２ａの壁面（図１左側）には、縦穴２内へ排液を流入させる流入口４が設けられている。
【００２９】
流入口４は縦穴壁材２ａの壁面に貫通形成される略円形の開口であり、その流入口４の上縁部（流入口４の内周最上面）より上側であって天蓋３との間部分には、縦穴２内に逆流する排液を貯留可能な空間が設けられている。また、この流入口４には、後述する排水管２２ａ（図３参照）に接続される流入管５と連通されている。
【００３０】
流入管５は、流入口４と略同一内径でかつ同心状の中空管状体であり、流入口４の開口縁から縦穴２の外側（図１左側）へ向けて延設されている。また、流入管５は、その流入管５と接続される排水管２２ａの勾配と略等しい傾斜角度で、縦穴壁材２ａとの付け根から外側上方（図１左上側）へ傾斜されている。また、縦穴壁材２ａの壁面（図１右側）には、縦穴２外へ排液を排出させる排出口６が設けられている。
【００３１】
排出口６は、流入口４の開口位置と対向する壁面における流入口４より低い位置に貫通形成される開口であって、後述される排水管２２ｂ（図３参照）に接続される排出管７と連通されている。排出管７は、排出口６と略同一内径でかつ同心状の中空管状体であり、排出口６の開口縁から縦穴２の外側（図１右側）へ向けて延設されている。
【００３２】
また、排出管７は、その排出管７と接続される排水管２２ｂの勾配と略等しい傾斜角度で、縦穴壁材２ａの付け根から外側下方（図１右下側）へ傾斜されている。更に、流入口４と排出口６との間には、その流入口４から排出口６へ向けて下降傾斜する斜面である縦穴底面８が形成されている。この縦穴底面８は、縦穴２の内部底面を成すものであり、上記した流入管５及び排出管７の傾斜角度と略等しい角度で傾斜されている。
【００３３】
また、縦穴底面８は、縦穴２及び流入口４の連結部にて流入口４の内周最下面４ａと連続面を形成し、且つ、縦穴２及び排出口６との連結部にて排出口６の内周最下面６ａと連続面を形成している。このため、流入口４から縦穴２へ流入する排液が流入口４と縦穴底面８との境界部分で滞ることを防止でき、更に、縦穴２から排出口６へ排出される排液が、縦穴底面８と排出口６との境界部分で滞ることを防止できる。
【００３４】
なお、流入口４と縦穴底面８との境界部分および縦穴底面８と排出口６との境界部分での排液の滞留を防止する手段としては、必ずしも縦穴底面８と流入口４の内周最下面４ａ及び排出口６の内周最下面６ａとを連続面に形成するものだけに限定されるのではなく、例えば、縦穴底面８を、流入口４の内周最下面４ａより低く、且つ、排出口６の内周最下面６ａより高くしても良い。
【００３５】
縦穴底面８の傾斜方向略中央に比べて流入口４側よりの位置には、下端部に脚部９ａと、その脚部９ａから上方に立設される支柱９ｂとを有する支持台９が配設されている。支持台９の脚部９ａは縦穴底面８上に固定されており、支柱９ｂの上端部には支持アーム１０が揺動軸１１を介して揺動可能に軸支されている。
【００３６】
支持アーム１０は、揺動軸１１による軸支部分から流入口４側及び排出口６側の双方へそれぞれ延出されるアーム部１０ａ及びアーム部１０ｂを備えており、アーム部１０ａの先端部には逆止弁１２が、アーム部１０ｂの先端部には一対のフロート１３，１３（図２参照）が、それぞれ取着されている。
【００３７】
逆止弁１２は、排出口６から縦穴２内へ排液が逆流する場合に流入口４を閉塞させるための弁体であり、流入口４の開口形状に合致して閉塞するように略球形状に形成されている。この逆止弁１２の外周面全体には、弾性的に圧縮変形可能で所定の厚みを有する略シート状の密閉部材１４が敷設されており、かかる密閉部材１４により逆止弁１２全体が被包されている。
【００３８】
また、流入口４には逆止弁１２を受け止める弁座部材１５が設けられており、この弁座部材１５には、逆止弁１２の外周面に適合する曲面状の弁座面１５ａが形成されている。逆止弁１２により流入口４が閉塞される場合、逆止弁１２は密閉部材１４を介して弁座部材１５の弁座面１５ａに面接触され、且つ、その弁座面１５ａとの間には密閉部材１４が介在されて弁座面１５ａに密着されるので、逆止弁１２による流入口４閉塞時の密閉性の向上を図ることができる。
【００３９】
フロート１３は、縦穴２内に排液が貯留した場合に排液の液位に応じて支持アーム１０を揺動させるために、縦穴２内の貯留液からの浮力を受ける浮き部材である。このフロート１３は、側面視略横長の長方形状に形成されており、排液中で浮上するように内部が中空状に形成され軽量化が図られている。また、フロート１３は、その長手方向略中央部が支持アーム１０のアーム部１０ｂの先端部にて上下方向に揺動可能に軸着されている。
【００４０】
このため、フロート１３は、縦穴２内に貯留する排液が昇降する場合に、その昇降する排液からの浮力をフロート１３の長辺面１３ａで受けるようにアーム部１０ｂの先端部で揺動される。このフロート１３は、縦穴２への逆流がない場合に流入口４より低位置となる縦穴底面８上に載置されているが、一旦、縦穴２内へ排液が逆流してその排液が縦穴２内に貯留した貯留液の液位が上昇すると、縦穴底面８から離れて液位上昇と共に上方へ浮上させられる。
【００４１】
逆止弁１２及びフロート１３，１３が取着された支持アーム１０の重量バランスは、揺動軸１１を支点とした場合に、アーム部１０ａ側の部分に比べて、アーム部１０ｂ側の部分の方が大きくされている。このため、フロート１３，１３に排液の浮力が作用しない場合に、支持アーム１０は、アーム部１０ｂ側部分の重みで揺動軸１１を中心に、アーム部１０ａ側が上方に、アーム部１０ｂ側が下方に、それぞれ傾くように形成されている。
【００４２】
このため、逆止弁１２は、フロート１３，１３に排液の浮力が作用しない場合に、流入口４側（図１左側）よりで且つ流入口４から上方に離間した位置（以下「開放位置」という（図１参照））に支持される。具体的には、かかる逆止弁１２は、逆止弁１２が開放位置にある場合に流入口４の内周最上面とほぼ等しい高さ位置で支持されるので、流入口４から縦穴底面８を流下して排出口６へ排出される排液に直接曝されることがなく、排液との接触による汚損や劣化が防止されるのである。
【００４３】
一方、フロート１３が浮力を受けて浮上すると、支持アーム１０のアーム部１０ｂ側はフロート１３と共に揺動軸１１を中心に上方へ揺動されるが、それとは逆に支持アーム１０のアーム部１０ａ側は、逆止弁１２が流入口４を閉塞される位置（以下「閉塞位置」という（図４（ｂ）参照））へと揺動される。つまり、逆止弁１２は、支持アーム１０を介することで、フロート１３，１３に作用する浮力に応じて、流入口４を開放させる開放位置と流入口４を閉塞させる閉塞位置との間で揺動されるのである。
【００４４】
図２は、逆流防止設備１の内部構造を示す平面図であって、後述する図４のＩＩ−ＩＩ線における横断面図でもある。図２に示すように、縦穴２は平面視略円形状に形成されており、縦穴壁材２ａの互いに対向する壁面に流入口４及び排出口６が設けられている。縦穴２の内径は流入口４及び排出口６の内径より大きく形成されており、縦穴底面８の略中央部分に流入口４から排出口６へと略直線帯状に延びる領域（図２中の２本の２点鎖線の間部分）に排液流路１６が確保されている。
【００４５】
この排液流路１６は、フロート１３が浮力を受けずに縦穴底面８上に載置されたまま流入口４が開放状態にある場合に、その流入口４から縦穴２へ流入した排液を排出口６へ向けて流下させるための経路である。
【００４６】
支持アーム１０は排液流路１６の延長方向（図２左右方向）との略直交方向に排液流路１６を跨ぐようにして延設される基部１０ｃを備えており、この基部１０ｃの延設方向略中央部からは、アーム部１０ａが基部１０ｃと略直角を成すように流入口４側（図２左側）へ向けて延出されている。また、支持アーム１０は、基部１０ｃの延設方向両側から外方へそれぞれ突出形成される揺動軸１１，１１を備えており、この一対の揺動軸１１，１１を介して支持台９，９間に軸架されている。更に、基部１０ｃの延設方向両端からは、一対のアーム１０ｂ，１０ｂが基部１０ｃと略直角を成すように排出口６側（図２右側）へ向けて延出されている。
【００４７】
一対のアーム部１０ｂ，１０ｂの先端部には、一対のフロート１３，１３が軸着されている。この一対のフロート１３，１３は、排液流路１６の延長方向（図２左右方向）に長い平面視略長方形状に形成されており、排液流路１６から外れた排液流路１６の横断方向（図２上下方向）両側にそれぞれ１つずつ設けられて排液流路１６を流れる排液に直接曝されることが抑制されている。しかも、上記の通り、開放位置にある逆止弁１２も、縦穴底面８上にある排液流路１６よりも上方で支持されるので、かかる排液流路１６を流れる排液に直接曝されることない。
【００４８】
図３は、逆流防止設備１の施工例を示す図である。図３に示すように、建築物２０の屋内には、台所、洗面所、風呂場及びトイレなどの水回りから生じる生活排水などの排液を排出するための屋内排水口２１が床面に設けられ、かかる屋内排水口２１には排水管２２が接続されている。この排水管２２は、排液の流下を促すために地中に埋設される場合に上流側から下流側へ下降傾斜するように所定の傾斜角度で勾配が付けられている。
【００４９】
逆流防止設備１の縦穴２は、排水管２２の中間部、具体的には上流側の排水管２２ａと下流側の排水管２２ｂとの間に設けられている。ここで、排水管２２ａの下流側の端部には逆流防止設備１の流入管５が接続されており、更に、かかる排水管２２ａは、逆流防止設備１よりも上流側の位置で雨水管２３とも接続されている。このため、生活排水などの排液と共に雨水も逆流防止設備１へ流入される。
【００５０】
逆流防止設備１の排出管７には、排水管２２ｂの上流側の端部が接続されており、この排水管２２ｂの下流側の端部は下水道管２４と接続されている。この結果、逆流防止設備１へ流入した排液や雨水は、排水管２２ｂを経て下水道管２４へ排出され、かかる下水道管２４を管路として有する排水処理設備へ移送される。なお、地表面の雨水は排水溝２５を通じて河川や下水道管２４へ排水される。
【００５１】
次に、図１から図４を参照して、上記のように構成された逆流防止設備１の動作について説明する。ここで、図４は、逆止弁１２が閉塞位置にある逆流防止設備１の縦断面図であり、これに対して、図１は、逆止弁１２が開放位置にある逆流防止設備１の縦断面図である。
【００５２】
上記した図３に示すように逆流防止設備１が施工されると、通常、建築物２０内で生じた生活排水などの排液は屋内排水口２１から、雨水は雨水管２３から、それぞれ排水管２２ａへ流入し、流入管５を通じて逆流防止設備１へ流入される。この流入管５へ流入した排液や雨水は、図１に示した流入口４から縦穴底面８に沿って排出口６へ向かう排液流路１６（図２参照）を流れ、排出口６から排出管７へ排出され、図３に示した排水管２２ｂを通じて下水道管２４へ排出される。
【００５３】
一方、一旦洪水が発生するなどして、建築物２０の屋外の水位や下水道管２４内の排液の液位が上昇すると、下水道管２４内を流れる排液の逆流が生じ、この逆流する排液が排水管２２ｂ及び排出管７を通じて排出口６から縦穴２内へ逆流する。この逆流によって、縦穴２内に排液が貯留され、かかる貯留液の液位が上昇して、貯留液が縦穴底面８上にあるフロート１３，１３に達して、その後、貯留液の液位が更に上昇すると、かかる貯留液による浮力によって、フロート１３，１３が浮上し始める。
【００５４】
この浮上に伴って、支持アーム１０のアーム部１０ａの先端部は、揺動軸１１を中心に逆止弁１２の開放位置（図１に示す位置）から閉塞位置（図４に示す位置）側へ向けて、即ち、図１の反時計方向へ揺動される。その後、縦穴２内の液位が更に上昇すると、浮力を受けたフロート１３，１３は更に浮上されて、支持アーム１０のアーム部１０ａ側が揺動軸１１を中心に更に下方へ揺動され、図４に示すように逆止弁１２が閉塞位置に至り、逆止弁１２が弁座部材１５の弁座面１５ａとの間に密閉部材１４を介在させた状態で面接触される。この結果、流入口４は逆止弁１２によって閉塞されて、縦穴２の流入口４より上流側に位置する排水管２２ａ及び屋内排水口２１へ向かう排液の逆流が防止される。
【００５５】
その後、更に、縦穴２内の液位が流入口４や逆止弁１２の位置よりも上昇して、縦穴２の上部側に排液が貯留されると、かかる排液中に逆止弁１２が沈没するため、排液の水圧が逆止弁１２を弁座面１５ａへ押圧する方向に作用して、逆止弁１２が弁座面１５ａに圧接されて、流入口４の閉塞状態における密閉性が更に向上されるのである。
【００５６】
そして、屋外の水位や下水道管２４内の液位が下降して、下水道管２４から逆流防止設備１へと向かう排液の逆流が治まると、縦穴２内に貯留されていた排液も排出口６から排出管７及び排水管２２ｂを通じて徐々に排出される。この排出に伴って縦穴２内の貯留液の液位が下降してフロート１３，１３に作用する浮力が弱まると、逆止弁１２は、支持アーム１０を介して揺動軸１０を中心に閉塞位置（図４に示す位置）から開放位置側（図１に示す位置）へ向けて、即ち、図４の時計方向へ揺動される。
【００５７】
この揺動によって、流入口４は開放されるので、屋内排水口２１及び排水管２２からの排液が縦穴２内へ流入可能な状態となる。そして、縦穴２内の貯留液の液位がフロート１３，１３よりも下方に低下すると、フロート１３，１３は長辺面１３ａ，１３ａが縦穴底面８に当接されて支持アーム１０の揺動が制限され、逆止弁１２が開放位置に位置決めされて、逆流防止設備１が図１に示す元の通常状態に復帰するのである。
【００５８】
以上、実施例に基づき本発明を説明したが、本発明は上記実施例に何ら限定されるものではなく、本発明の趣旨を逸脱しない範囲内で種々の改良変形が可能であることは容易に推察できるものである。
【００５９】
例えば、本実施例では、逆止弁１２の形状を略球形状に限定して説明したが、かかる逆止弁の形態は必ずしもこれに限定されるものではなく、流入口を閉塞可能で且つフロートの浮力により揺動可能な形態であれば、例えば、仕切り弁など他の形態の弁体であっても良い。また、本実施例では、縦穴底面８自体における流入口４から排出口６へ向かって略直線帯状に延びる領域をもって排液流路１６と説明したが、排液流路１６の形態は必ずしもこれに限定されるものではなく、例えば、流入口４から排出口６に連通する略凹面状の溝を縦穴底面８に凹設し、この凹設された溝を排液流路として排液を流下させるようにしても良い。
【００６０】
また、本実施例では、支持アーム１０を支持台９，９により揺動可能に軸支したが、支持アームの支持形態は必ずしもこれに限定されるものではなく、支持アームの基部に設けられる一対の揺動軸を介して支持アームを縦穴壁材間に軸架させるようにしても良い。更に、本実施例では、排液流路１６の両側にそれぞれフロート１３，１３を設けたが、かかるフロートの数は必ずしも排液流路の両側に１個ずつと限定されるものではなく、排液流路１６を避けてフロートを配設できれば、フロートの数は例えば１個であっても良い。
【００６１】
また、本実施例では、施工現場で逆流防止設備１を組み立て施工する場合について説明したが、本発明の実施形態は必ずしもこれに限定されるものではなく、上記した逆流防止設備を１つのユニットとして構成して製造するようにしても良い。
【図面の簡単な説明】
【００６２】
【図１】本発明の逆流防止装置の一実施例である逆流防止設備の内部構造を示す縦断面図である。
【図２】逆流防止設備の内部構造を示す平面図である。
【図３】逆流防止設備の施工例を示す図である。
【図４】逆止弁が閉塞位置にある逆流防止設備の縦断面図である。
【符号の説明】
【００６３】
１                  逆流防止設備（逆流防止装置）
２                  縦穴（設置空間の一部）
２ａ                縦穴壁材（設置空間の一部）
４                  流入口
６                  排出口
８                  縦穴底面（設置空間の底面、設置空間の一部）
１０                支持アーム（支持部材）
１１                揺動軸
１２                逆止弁
１３，１３          フロート（浮き部材）
１０ａ              アーム部（支持部材の一端側）
１０ｂ              アーム部（支持部材の他端側）
１０ｃ              基部（支持部材の中間部）
１６                排液流路
２２                排水管（配管）
２２ａ              排水管（配管の上流側）
２２ｂ              排水管（配管の下流側）
【図１】
2005200846.tif 000003
【図２】
2005200846.tif 000004
【図３】
2005200846.tif 000005
【図４】
2005200846.tif 000006